【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
放射線療法システムの動作を遠隔解析する方法であって、
前記放射線療法システムから離れたリモート・コンピュータを用いて前記放射線療法システムにアクセスするステップと、
アクションを実行するように前記放射線療法システムに命令するステップと、
前記アクションの結果を得るステップと、
前記リモート・コンピュータにおいて前記アクションの前記結果を分析するステップと、
コンフィギュレーション情報を前記リモート・コンピュータから前記放射線療法システムへ伝達するステップと、
を含む、方法。
【請求項２】
請求項１に記載の方法であって、結果を得る前記ステップが前記放射線療法システムにおいて行われる、方法。
【請求項３】
請求項１に記載の方法であって、前記アクションの前記結果に基づいて前記放射線療法システムを構成するステップを更に含む、方法。
【請求項４】
請求項３に記載の方法において、前記放射線療法システムを構成する前記ステップが前記リモート・コンピュータから行われる、方法。
【請求項５】
請求項１に記載の方法であって、前記放射線療法システムにアクセスしたいという要求を前記リモート・コンピュータにおいて前記放射線療法システムから受信するステップを更に含む、方法。
【請求項６】
請求項１に記載の方法において、前記放射線療法システムに命令する前記ステップが前記リモート・コンピュータから起こる、方法。
【請求項７】
請求項１に記載の方法であって、
前記分析された結果のレポートを作成するステップと、
前記放射線療法システムに対する推奨される変更を前記レポートに基づいて決定するステップと、
前記推奨される変更を前記放射線療法システムへ送信するステップとを更に含む、方法。
【請求項８】
請求項１に記載の方法において、前記放射線療法システムに命令する前記ステップが、実行するように前記放射線療法システムに命令するステップを含む、方法。
【請求項９】
請求項１に記載の方法において、前記放射線療法システムに命令する前記ステップが、データを前記リモート・コンピュータへアップロードするように前記システムに命令するステップを含む、方法。
【請求項１０】
請求項９に記載の方法において、前記データが、以前に実行した治療計画の実行中に得られたデータを含む、方法。
【請求項１１】
請求項１に記載の方法において、前記放射線療法システムが、放射モジュールを含み、前記結果を得る前記ステップが、前記放射モジュールの動作に関連するデータを得るステップを含み、前記結果を分析する前記ステップが、前記データを分析するステップを含む、方法。
【請求項１２】
請求項１１に記載の方法であって、前記データを分析する前記ステップに少なくとも部分的に基づいて前記放射線療法システムに対する変更を推奨するステップを更に含む、方法。
【請求項１３】
請求項１に記載の方法において、前記放射線療法システムが、放射モジュールを含み、前記結果を得る前記ステップが、前記放射モジュールからの出力に関連するデータを得るステップを含み、前記結果を分析する前記ステップが、前記放射モジュールの前記出力に関連する前記データを分析するステップを含む、方法。
【請求項１４】
請求項１３に記載の方法であって、前記分析されたデータに少なくとも部分的に基づいて前記放射線療法システムに対する変更を推奨するステップを更に含む、方法。
【請求項１５】
請求項１に記載の方法において、前記放射線療法システムが、ガントリを含み、前記結果を得る前記ステップが、ガントリの動作に関連するデータを得るステップを含み、前記結果を分析するステップが、前記ガントリの動作に関連する前記データを分析するステップを含む、方法。
【請求項１６】
請求項１５に記載の方法であって、前記分析されたデータに少なくとも部分的に基づいて前記放射線療法システムに対する変更を推奨するステップを更に含む、方法。
【請求項１７】
請求項１に記載の方法において、前記放射線療法システムが、患者サポートを含み、前記結果を得る前記ステップが、患者サポートの動作に関連するデータを得るステップを含み、前記結果を分析するステップが、前記患者サポートの動作に関連する前記データを分析するステップを含む、方法。
【請求項１８】
請求項１７に記載の方法であって、前記分析されたデータに少なくとも部分的に基づいて前記放射線療法システムに対する変更を推奨するステップを更に含む、方法。
【請求項１９】
請求項１に記載の方法であって、前記結果を分析する前記ステップに少なくとも部分的に基づいて前記放射線療法システムの作動を更新することを推奨するステップを更に含む、方法。
【請求項２０】
請求項１に記載の方法であって、前記結果を分析する前記ステップに少なくとも部分的に基づいて前記放射線療法システムの少なくとも１つのコンポーネントを較正することを推奨するステップを更に含む、方法。
【請求項２１】
請求項１に記載の方法であって、前記結果を分析する前記ステップに少なくとも部分的に基づいて前記放射線療法システムのコンポーネントを交換することを推奨するステップを更に含む、方法。
【請求項２２】
放射線療法システムの動作を遠隔解析する方法であって、
前記放射線療法システムから離れたリモート・コンピュータを用いて前記放射線療法システムにアクセスするステップと、
アクションを実行するように前記リモート・コンピュータから前記放射線療法システムに命令するステップと、
前記アクションの結果を得るステップと、
前記アクションの前記結果を分析するステップと、
前記結果を分析する前記ステップに少なくとも部分的に基づいて前記放射療法システムのコンポーネントを交換するための推奨を出力するステップと、
を含む、方法。
【請求項２３】
請求項２２に記載の方法において、結果を得る前記ステップが前記放射線療法システムにおいて行われる、方法。
【請求項２４】
請求項２２に記載の方法において、前記結果を分析する前記ステップが前記放射線療法システムにおいて行われる、方法。
【請求項２５】
請求項２２に記載の方法であって、前記アクションの前記結果に基づいて前記放射線療法システムを構成するステップを更に含む、方法。
【請求項２６】
請求項２５に記載の方法において、前記放射線療法システムを構成する前記ステップが前記リモート・コンピュータから行われる、方法。
【請求項２７】
請求項２２に記載の方法であって、コンフィギュレーション情報を前記リモート・コンピュータから前記放射線療法システムへ伝達するステップを更に含む、方法。
【請求項２８】
請求項２２に記載の方法であって、前記放射線療法システムにアクセスしたいという要求を前記リモート・コンピュータにおいて前記放射線療法システムから受信するステップを更に含む、方法。
【請求項２９】
請求項２２に記載の方法であって、前記結果を分析するように前記リモート・コンピュータから前記放射線療法システムに命令するステップを更に含む、方法。
【請求項３０】
請求項２２に記載の方法であって、
前記分析された結果のレポートを作成するステップと、
前記放射線療法システムに対する推奨される変更を前記レポートに基づいて決定するステップと、
前記推奨される変更を前記放射線療法システムへ送信するステップとを更に含む、方法。
【請求項３１】
請求項２２に記載の方法において、前記放射線療法システムに命令する前記ステップが、計画を実行するように前記放射線療法システムに命令するステップを含む、方法。
【請求項３２】
請求項２２に記載の方法において、前記放射線療法システムに命令する前記ステップが、データを前記リモート・コンピュータへアップロードするように前記システムに命令するステップを含む、方法。
【請求項３３】
請求項３２に記載の方法において、前記データが、以前に実行した治療計画の実行中に得られたデータを含む、方法。
【請求項３４】
請求項２２に記載の方法において、前記放射線療法システムが、放射モジュールを含み、前記結果を得る前記ステップが、前記放射モジュールの動作に関連するデータを得るステップを含み、前記結果を分析する前記ステップが、前記データを分析するステップを含む、方法。
【請求項３５】
請求項３４に記載の方法であって、前記データを分析する前記ステップに少なくとも部分的に基づいて前記放射線療法システムに対する変更を推奨するステップを更に含む、方法。
【請求項３６】
請求項２２に記載の方法において、前記放射線療法システムが、放射モジュールを含み、前記結果を得る前記ステップが、前記放射モジュールの出力エネルギーに関連するデータを得るステップを含み、前記結果を分析する前記ステップが、前記データを分析するステップを含む、方法。
【請求項３７】
請求項３６に記載の方法であって、前記データを分析する前記ステップに少なくとも部分的に基づいて前記放射線療法システムに対する変更を推奨するステップを更に含む、方法。
【請求項３８】
請求項２２に記載の方法において、前記放射線療法システムが、ガントリを含み、前記結果を得る前記ステップが、ガントリの動作に関連するデータを得るステップを含み、前記結果を分析するステップが、前記データを分析するステップを含む、方法。
【請求項３９】
請求項３８に記載の方法であって、前記データを分析する前記ステップに少なくとも部分的に基づいて前記放射線療法システムに対する変更を推奨するステップを更に含む、方法。
【請求項４０】
請求項２２に記載の方法において、前記放射線療法システムが、患者サポートを含み、前記結果を得る前記ステップが、患者サポートの動作に関連するデータを得るステップを含み、前記結果を分析するステップが、前記データを分析するステップを含む、方法。
【請求項４１】
請求項４０に記載の方法であって、前記データを分析する前記ステップに少なくとも部分的に基づいて前記放射線療法システムに対する変更を推奨するステップを更に含む、方法。
【請求項４２】
請求項２２に記載の方法であって、前記結果を分析する前記ステップに少なくとも部分的に基づいて前記放射線療法システムの作動を更新することを推奨するステップを更に含む、方法。
【請求項４３】
請求項２２に記載の方法であって、前記結果を分析する前記ステップに少なくとも部分的に基づいて前記放射線療法システムの少なくとも１つのコンポーネントを較正することを推奨するステップを更に含む、方法。
【請求項４４】
放射線療法システムを遠隔モニタする方法であって、
放射線療法システムから離れたリモート・コンピュータを用いて前記放射線療法システムにアクセスするステップと、
前記放射線療法システムに関連するパラメータをモニタするステップと、
前記パラメータに関連するデータを得るステップと、
前記リモート・コンピュータにおいて前記データを分析するステップであって、前記データを事前に定義された範囲と比較するステップを含む、ステップと、
前記分析されたデータに少なくとも部分的に基づいて、かつ、前記事前に定義された範囲と前記データとの比較に応答して、前記放射線療法システムへ連絡を送信するステップと、
を含む、方法。
【請求項４５】
請求項４４に記載の方法において、前記モニタされたパラメータが前記放射線療法システムのパラメータを含む、方法。
【請求項４６】
請求項４５に記載の方法において、前記放射線療法システムの前記パラメータが、水流、内部温度、内部圧力を表すパラメータ、および電気パラメータの少なくとも１つを含む、方法。
【請求項４７】
請求項４５に記載の方法において、前記放射線療法システムの前記パラメータが線量測定パラメータを含む、方法。
【請求項４８】
請求項４４に記載の方法において、前記モニタされたパラメータが、前記放射線療法システムに関連する環境パラメータを含む、方法。
【請求項４９】
請求項４８に記載の方法において、前記環境パラメータが、周囲温度、周囲湿度、および周囲気圧を表すパラメータの少なくとも１つを含む、方法。
【請求項５０】
請求項４４に記載の方法において、前記モニタされたパラメータが、前記放射線療法システムに関連付けられた外部デバイスのパラメータを含む、方法。
【請求項５１】
請求項４４に記載の方法において、連絡を送信する前記ステップが、前記データに少なくとも部分的に基づいて前記放射線療法システムの現場の人に通知を行うステップを含む、方法。
【請求項５２】
請求項４４に記載の方法において、パラメータをモニタする前記ステップ、前記データを得る前記ステップ、および前記データを分析する前記ステップが、前記放射線療法システムにおいて行われる、方法。
【請求項５３】
請求項４４に記載の方法において、前記データを分析する前記ステップが、前記データを履歴データと比較するステップを含み、連絡を送信する前記ステップが、前記比較に応答する、方法。
【請求項５４】
請求項４４に記載の方法であって、前記分析されたデータのレポートを前記コンピュータにおいて受信するステップを更に含む、方法。
【請求項５５】
請求項５４に記載の方法において、前記放射線療法システムが前記分析されたデータの前記レポートを作成する、方法。
【請求項５６】
請求項５５に記載の方法であって、前記コンピュータにおいて前記レポートを検討するステップを更に含む、方法。
【請求項５７】
請求項４４に記載の方法であって、前記分析されたデータのレポートを前記コンピュータにおいて作成するステップを更に含む、方法。
【請求項５８】
請求項５７に記載の方法において、前記放射線療法システムが前記分析されたデータの前記レポートを受信する、方法。
【請求項５９】
請求項５８に記載の方法であって、前記放射線療法システムにおいて前記レポートを検討するステップを更に含む、方法。
【請求項６０】
請求項１１に記載の方法であって、前記データを用いて線量計算を行うステップを更に含み、前記データを分析する前記ステップが、前記線量計算を分析するステップを含む、方法。
【請求項６１】
請求項１１に記載の方法であって、前記データを用いて変形を行うステップを更に含み、前記データを分析するステップが、前記変形を分析するステップを含む、方法。
【請求項６２】
請求項１１に記載の方法であって、前記データを用いて線量の蓄積を測定するステップを更に含み、前記データを分析する前記ステップが、前記線量の蓄積を分析するステップを含む、方法。
【請求項６３】
請求項１記載の方法において、前記放射線療法システムが放射モジュールを含み、前記結果を得るステップが前記放射モジュールのエネルギーに関連するデータを得るステップを含み、前記結果を分析するステップが前記放射モジュールの前記エネルギーに関連する前記データを分析するステップを含む、方法。